(57)【要約】 【課題】  電線に外力が加わった場合でも、バレル部の開きを防止することが可能なバレル部の構造を提供する。【解決手段】  端子金具２０のバレル部２６は一対のかしめ片２６Ａ，２６Ｂからなる。一方のかしめ片２６Ａの先端部付近には、係止突部２８が設けられているとともに、他方のかしめ片２６Ｂの先端部付近には、係止突部２８と係止可能な受け孔２９が設けられている。バレル部２６を電線１０にかしめる場合に、上記係止突部２８と受け部２９とを係止させることにより、バレル部２６の開きが防止される。【選択図】  図２
2006244815.tif 000002
【特許請求の範囲】
【請求項１】
電線を一対のかしめ片によってかしめるためのバレル部の構造であって、前記一対のかしめ片のうち一方のかしめ片には係止突部が設けられているとともに、他方のかしめ片には前記電線に前記バレル部をかしめ付けた状態で前記係止突部と係止することで、前記両かしめ片の開き方向への変位を規制する受け部が設けられていることを特徴とするバレル部の構造。
【請求項２】
前記電線は、芯線を内部絶縁層と、シールド層と、外部シースとで順に覆ってなるシールド電線であり、前記外部シースから露出されかつその外部シースの外側へ反転して折り返されたシールド層を外側からかしめることを特徴とする請求項１に記載のバレル部の構造。
【請求項３】
前記両かしめ片は、それらの先端部を内外に重ねた状態で前記電線にかしめ付け可能であり、かしめ時において内側に位置するバレル片には受け孔が開口する一方、外側に位置するバレル片には前記受け孔内に嵌り込んで係止する係止突部が突出形成されていることを特徴とする請求項１又は請求項２記載のバレル部の構造。
【発明の詳細な説明】
【技術分野】
【０００１】
本発明は電線をかしめるためのバレル部の構造に関する。
【背景技術】
【０００２】
従来より、バレル部の構造として、例えば下記特許文献１のものが知られている。このシールドコネクタのコネクタハウジングの内部には、シールド電線の端末に接続された端子金具が収容されているが、電線端末と端子金具との接続構造は図４に示すようにしてなされるのが通常であった。
【０００３】
すなわち、端子金具１の後端部には、シールド電線２をかしめるための一対のかしめ片からなるバレル部３が設けられている。一方、シールド電線２の端末は外部シース５上に編組線４（シールド層）を反転させてあり、上記したバレル部３にてこの編組線４の反転部分をかしめ付けることによって、端子金具１に対する接続が行われていた。
【特許文献１】特開平７−２６３０８２号公報
【発明の開示】
【発明が解決しようとする課題】
【０００４】
しかし、上述したバレル部３のような、単に一対のかしめ片の先端部を内外に重ね合わせるようにかしめるいわゆるオーバーラップ圧着では、電線２に引っ張り力が加わった場合にバレル部３が容易に拡開してしまい、電線２が端子金具１から抜けてしまうという問題がある。電線２の抜けを防止するためには、バレル部３の圧縮強さを高めることが考えられるが、例えば上記のもののように、編組線４上をかしめるものでは、編組線４のクッション性により、かしめ力が必ずしも十分に伝わらない、という点が懸念される。さりとて、かしめ片の先端を電線２の外面に突き立てて食い込むようにする方法では、編組線４、外部シース５を突き破って芯線とショートさせてしまう虞があるため、採用できない。また、上記のものでは編組線４上における一カ所のかしめでもって端子金具１の取り付けを行っていたが、さらに外部シース５上でのかしめを付加する、つまり二カ所のかしめによることも考えられる。しかし、そのような方法は端子金具１自体を大型化させてしまうため、得策でない。
【０００５】
本発明は、上記事情に鑑みてなされたもので、電線に外力が加わった場合でもかしめ片の開きを防止することができるバレル部の構造の提供を目的とする。
【課題を解決するための手段】
【０００６】
上記の目的を達成するための手段として、請求項１の発明は、電線を一対のかしめ片によってかしめるためのバレル部の構造であって、前記一対のかしめ片のうち一方のかしめ片には係止突部が設けられているとともに、他方のかしめ片には前記電線に前記バレル部をかしめ付けた状態で前記係止突部と係止することで、前記両かしめ片の開き方向への変位を規制する受け部が設けられているところに特徴を有する。
【０００７】
また、請求項２の発明は、請求項１に記載のバレル部の構造であって、前記電線は、芯線を内部絶縁層と、シールド層と、外部シースとで順に覆ってなるシールド電線であり、前記外部シースから露出されかつその外部シースの外側へ反転して折り返されたシールド層を外側からかしめることを特徴とする。
【０００８】
さらに、請求項３の発明は、請求項１又は請求項２に記載のものにおいて、前記両かしめ片は、それらの先端部を内外に重ねた状態で前記電線にかしめ付け可能であり、かしめ時において内側に位置するバレル片には受け孔が開口する一方、外側に位置するバレル片には前記受け孔内に嵌り込んで係止する係止突部が突出形成されていることを特徴とする。
【発明の効果】
【０００９】
上記請求項１の発明によれば、電線をバレル部によってかしめた場合に、一方のかしめ片に設けられた係止突部と、他方のかしめ片に設けられた受け部とが互いに係止する構成であるから、電線に対して例えば抜け方向に外力が加わった場合でも、従来のようにバレル部が拡開してしまうことが防止される。
【００１０】
また、上記電線がシールド電線であり、例えば外部シースから露出されかつその外部シースの外側へ反転して折り返されたシールド層をかしめる場合には、芯線の切れの問題によりバレル部の圧縮力を強くすることができないため、係止突部と受け部との係止によりかしめ片の開きを防止するという上記構成は、特に効果的である（請求項２の発明）。
【００１１】
さらに、電線に対するかしめ状況を強化するには、単純にはかしめ片の先端を電線の外周面に突き立てればよい。しかし、そのようなことが許されない場合には、電線に対するかしめを行ったときに、両かしめ片の先端部が内外に重ねられる、いわゆるオーバーラップ圧着の形態が採られることがある。この場合にも、受け孔と係止突部との嵌り合いによる係止によって、両かしめ片の開き止めがなされるため、電線に対する引っ張り力が作用しても、確実に端子金具との保持が維持される（請求項３の発明）。
【発明を実施するための最良の形態】
【００１２】
以下、本発明のバレル部の構造を適用した端子金具に関する実施形態を図１〜３に基づいて説明する。
【００１３】
シールド電線１０は、図１に示すように、複数本の素線を束ねてなる芯線１１を内部絶縁層１２で覆い、その外側を編組線よりなるシールド層１３で覆い、さらにその外側を外部シース１４で覆った構造となっている。そして、シールド電線１０の端末部では、露出されたシールド層１３が外部シース１４の外側に折り返されると共に、そのシールド層１３の折り返し部分より先に内部絶縁層１２が露出され、さらにその先端から芯線１１が露出されて延びている。
【００１４】
端子金具２０は、シールド層１３に接続される外側端子２１と、芯線１１に接続される内側端子３０と、これら内外の端子２１，３０間に介在される樹脂製の誘電体４０とからなっている。内側端子３０は先端に図示しない相手端子金具と接続可能なタブ部３１を備えるとともに、その後端部には芯線１１に対してかしめられる芯線接続部３２が形成されている。また、タブ部３１と芯線接続部３２との間には、内側端子３０を誘電体４０へ挿入したときに、誘電体４０の収容孔４１内の上壁に食い込むことにより、内側端子３０を固定する食い込み突起３３が配されている。
【００１５】
誘電体４０は、内側端子３０と外側端子２１とを電気的に絶縁するためのものであり、その内部には内側端子３０を収容するための収容孔４１が形成されている。また、外側端子２１への固定のために、上部には係止凹部４２が、底部には図示しない当接部がそれぞれ設けられている。
【００１６】
外側端子２１は、前部に角筒状の収容部２２が設けられ、かつその天井面には誘電体４０に係止するランス２３が内方へ斜めに切り起こしによって形成され、誘電体４０の係止凹部４２に対し弾性的に係止可能である。また、底面には図示しない突き当て片が内方への切り起こしによって形成されていて、誘電体４０の上記当接部（図示せず）に当接可能である。さらに、収容部２２の左右両側面には図示しない相手側端子と弾性的に接触する接触片２４が形成されている。さらにまた、収容部の直後の上縁には幅方向外方へ一対のスタビライザ２５，２５が張り出し形成されており、端子金具２０を図示しないコネクタハウジングへ挿入する際の案内を行う。そして、その後方にはシールド電線１０への接続を行うためのバレル部２６が連続している。
【００１７】
バレル部２６は収容部２２側の後端部と連結片２７を介して連設され、この連結片２７から幅方向へほぼ同一長さ寸法延出し、シールド電線１０との接続前の状態では、上方へ開放した全体略Ｕ字状をなす一対のかしめ片２６Ａ、２６Ｂからなる。本実施形態におけるバレル部２６は、シールド電線１０に対するかしめがなされるときには、両かしめ片２６Ａ，２６Ｂの先端が所定長さ範囲だけ重なり合う、いわゆるオーバーラップ圧着によるかしめがなされる。
【００１８】
上記一対のかしめ片２６Ａ，２６Ｂのうち一方のかしめ片２６Ａ（図３に示すように、オーバーラップ圧着がなされたときに外周側に位置するかしめ片）の先端部付近には、方形状の係止突部２８が内周面側に突出するようにして叩き出されている。また、他方のかしめ片２６Ｂ（同圧着がなされたときに内周側に位置するかしめ片）の先端部には、バレル部２７がシールド電線１０をかしめた時に上記係止突部２８に整合して嵌り合う受け孔２９が方形状に開口している。さらに、上記係止突部２８は上記オーバーラップ圧着時においてその内面側が受け孔周りの面とほぼ面一をなす程度の叩き出し量に設定されている。
【００１９】
なお、両かしめ片２６Ａ，２６Ｂの先端部にはそれぞれテーパ面２６Ｃが形成されている。両テーパ面２６Ｃは、図３に示すように、圧着時に内周面側に位置するものでは外面側に、外周面側に位置するものでは内面側にそれぞれ形成されている。
【００２０】
次に、本実施形態の作用について説明する。シールド電線１０の端末部に端子金具２０を取り付けるためには、まず、シールド電線１０の端部の外部シース１４を剥がしてシールド層１３を剥き出しにし、そのシールド層１３を外部シース１４上に反転させておく。また、シールド電線１０の内部絶縁層１２を剥がして芯線１１を露出させ、ここに内側端子３０の芯線接続部３２をかしめによって圧着しておく。
【００２１】
その一方で、外側端子２１の収容部２２の前方より誘電体４０を挿入する。すると、突き当て片に当接部が当接する（図示せず）とともに、ランス２３が係止凹部４２に挿入されるため、誘電体４０が収容部２２内に位置決めされる。その後、シールド電線１０に接続された内側端子３０を誘電体４０の収容孔４１に挿通すると、食い込み突起３３が収容孔４１の天井面に食い込んで固定がなされる。
【００２２】
次に、外側端子２１のバレル部２６の底面にシールド電線１０におけるシールド層１３の反転部分を載せる。この状態で、全体を図示しない圧着機に仕掛ける。そして、両バレル片２６Ａ，２６Ｂがシールド層１３の外周面に沿うようにしてオーバーラップ圧着を行う。詳細には、一対のかしめ片２６Ａ，２６Ｂうち受け孔２９が設けられたかしめ片２６Ｂをシールド層１３の外面に宛い、その上から他方のかしめ片２６Ａを被せるようにして圧着を行う。この時、かしめ片２６Ａの係止突部２８が受け孔２９に整合して嵌り合い、係止突部２８もシールド層１３を押圧する。
【００２３】
かくして、シールド電線１０に外側端子２１がかしめ付けられるが、その後において電線が引っ張り等によって振れ方向の外力を受けることがある。そのような場合には、両かしめ片２６Ａ，２６Ｂに開き方向の力を受ける。しかし、この実施形態では、図３に示すように、係止突部２８と受け孔２９とが係止した状態にあるため、両かしめ片２６Ａ，２６Ｂが拡開することはなく、初期の良好なかしめ状態がそのまま維持される。
【００２４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２５】
（１）上記実施形態では、係止突部と受け孔（受け部）とを方形状としたが、これに限らず、例えば円形等の他の形状としてもよい。
【００２６】
（２）上記実施形態では、受け部を穴状に貫通させたが、有底孔としてもよく、またこのような凹凸の嵌合による開き止めの他、一方の端部にフック爪を形成し、他方にこれが引っ掛けられる部分を形成する引っ掛けの方式であってもよく、要はかしめ状態で開き止めがなされる形態であればよい。
【図面の簡単な説明】
【００２７】
【図１】本発明の一実施形態のシールド電線および端子金具の分解斜視図
【図２】同じくシールド電線と端子金具とを接続させた場合の斜視図
【図３】同じくシールド電線と端子金具とを接続させた場合の断面図
【図４】従来のシールド電線と端子金具とを接続させた場合の斜視図
【符号の説明】
【００２８】
１０…シールド電線
１１…芯線
１２…内部絶縁層
１３…シールド層
１４…外部シース
２０…端子金具
２１…外側端子
２６…バレル部
２６Ａ，２６Ｂ…かしめ片
２８…係止突部
２９…受け孔（受け部）
３０…内側端子
４０…誘電体
【図１】
2006244815.tif 000003
【図２】
2006244815.tif 000004
【図３】
2006244815.tif 000005
【図４】
2006244815.tif 000006